(57)【特許請求の範囲】
【請求項１】
内箱と金属製の外箱との間に発泡断熱材を充填した断熱箱体と、一方向に延びて蛇行により複数列に並設した状態で前記外箱の内面に接して配される放熱パイプと、前記放熱パイプの延伸方向に交差する方向に延びて前記放熱パイプを前記外箱に固定する第１粘着テープと、前記放熱パイプの延伸方向に沿って前記放熱パイプを前記外箱に固定する第２粘着テープとを備え、第１粘着テープの幅方向の一方の端縁よりも外側に第２粘着テープと前記放熱パイプとの未接着領域を設け、第１粘着テープの端部に上から重ねて貼着される第２粘着テープは第１粘着テープの延出方向の端部外側に前記外箱の内面に直接接着する箇所を有することを特徴とする冷蔵庫。
【請求項２】
少なくとも一列の前記放熱パイプの周囲の第１粘着テープと前記外箱との間に形成される空域が前記断熱箱体の外部に連通することを特徴とする請求項１に記載の冷蔵庫。
【請求項３】
第１粘着テープは前記放熱パイプに対して一方側で前記外箱に貼着され、他側方で前記外箱から離れた開放端を有することを特徴とする請求項１又は請求項２に記載の冷蔵庫。
【請求項４】
第２粘着テープが第１粘着テープ上に重ねて貼着され、第１粘着テープ上で前記放熱パイプの両脇に沿って切込みが設けられることを特徴とする請求項３に記載の冷蔵庫。
【発明の詳細な説明】
【技術分野】
【０００１】
本発明は、断熱箱体内に発泡断熱材を備えた冷蔵庫に関する。
【背景技術】
【０００２】
従来の冷蔵庫は特許文献１に開示されている。この冷蔵庫は外箱と内箱との間に発泡ウレタン等の発泡断熱材を充填した断熱箱体を備えている。内箱は樹脂成形品により形成され、貯蔵室の内面を形成する。外箱は金属板により形成され、折曲により断熱箱体の少なくとも天面及び両側面を形成して内箱の外側を覆う。
【０００３】
外箱の内面には冷媒が流通する上下方向に延びる放熱パイプが配される。放熱パイプは蛇行により水平方向に複数列を並設され、上下方向に延びるアルミニウムテープ等の粘着テープによって外箱に密着して取り付けられている。これにより、放熱パイプ内を流通する冷媒の熱が外箱を介して放熱される。
【０００４】
上記構成の冷蔵庫において、放熱パイプは蛇行するため弾性によるたわみや捻れが生じやすく、取付け位置が安定しないため取付け時の作業性が悪い。このため、複数列の放熱パイプを横断する粘着テープにより仮固定した後に上下に延びた粘着テープで固定される。
【０００５】
図７はこの外箱の展開図を示している。外箱１１は断熱箱体の天板１１ａ及び両側面板１１ｂ、１１ｅが一体に形成される。放熱パイプ３３は天板１１ａ及び両側面板１１ｂ、１１ｅ上に設置される。放熱パイプ３３は側面板１１ｂ、１１ｅ上の上下方向の中間部で複数列に跨がる第１粘着テープ４１により仮固定される。これにより、蛇行する放熱パイプ３３の弾性による変位が抑制される。
【０００６】
次に、放熱パイプ３３の延伸方向に延びるアルミニウムテープ等の第２粘着テープ４２が第１粘着テープ４１上に交差して貼着される。これにより、放熱パイプ３３を外箱１１に密着して取り付けることができる。
【先行技術文献】
【特許文献】
【０００７】
【特許文献１】特開昭６１−２６５４７４号公報
【発明の概要】
【発明が解決しようとする課題】
【０００８】
上記従来の冷蔵庫によると、第１、第２粘着テープ４１、４２は粘着面の背面を離型処理が施された巻き尺形態に形成される。これにより、背面に剥離紙を必要とせず、冷蔵庫の製造時の作業性が向上する。この時、離型処理が施された第１粘着テープ４１上に第２粘着テープ４２が重なるため、第１粘着テープ４１上で第２粘着テープ４２の接着力が弱くなる。加えて、第１、第２粘着テープ４１、４２と発泡断熱材との接着力も弱くなる。
【０００９】
また、放熱パイプ３３の熱によって外箱１１は熱膨張する。加えて、放熱パイプ３３の両側方には第１、第２粘着テープ４１、４２と外箱１１との間に空域が形成される。該空域にはテープ貼り付け時に取り込まれた空気、発泡断熱材から生じたシクロペンタン、二酸化炭素等のガスが充満し、温度に起因する大気との圧力差によって外箱１１が変形応力を受ける。
【００１０】
これにより、外箱１１が放熱パイプ３３に沿って膨らむ方向に応力が加わると、接着力の最も弱い第１粘着テープ４１と第２粘着テープ４２との間が剥離し、この部分が起点となって第１、第２粘着テープ４１、４２と発泡断熱材との剥離が進行する。特に、第１粘着テープ４１は、複数列並設した狭いピッチ間の放熱パイプ３３を横断している。このため、各々の放熱パイプ３３が第１粘着テープ４１と外箱１１との間に形成される空域内のガス圧による変形応力を受けて外箱１１の外面に水平方向（第１粘着テープ４１の延出方向）に延びた凹凸が形成される波打ち現象が発生する問題があった。
【００１１】
本発明は外箱の波打ち現象を低減できる冷蔵庫を提供することを目的とする。
【課題を解決するための手段】
【００１２】
上記目的を達成するために本発明は、内箱と金属製の外箱との間に発泡断熱材を充填した断熱箱体と、一方向に延びて蛇行により複数列に並設した状態で前記外箱の内面に接して配される放熱パイプと、前記放熱パイプの延伸方向に交差する方向に延びて前記放熱パイプを前記外箱に固定する第１粘着テープと、前記放熱パイプの延伸方向に沿って前記放熱パイプを前記外箱に固定する第２粘着テープとを備え、第１粘着テープの幅方向の少なくとも一方の端縁よりも外側に第２粘着テープによる前記放熱パイプとの未接着領域を設けたことを特徴としている。
【００１３】
この構成によると、放熱パイプの延伸方向に交差する方向に延びる第１粘着テープにより、放熱パイプを外箱に仮固定した後、放熱パイプの延伸方向に沿って第２粘着テープを貼りつけて外箱の内面に放熱パイプが固定される。これにより、放熱パイプの熱が外箱を介して外部に放出される。また、第１粘着テープの幅方向の少なくとも一方の端縁よりも外側に第２粘着テープによる放熱パイプとの未接着領域を有する。このため、第２粘着テープが第１粘着テープ上に重ならない場合は、第１粘着テープと第２粘着テープとの間の剥離が生じない。また、第２粘着テープが第１粘着テープ上に重なる場合は、未接着領域において発泡断熱材が外箱の内面に強固に直接接着されているため、第１粘着テープと第２粘着テープの剥離の進行が防止される。これにより、この部分を起点とする第１粘着テープ４１ａおよび第２粘着テープ４２と発泡断熱材との剥離が低減される。
【００１４】
また本発明は、上記構成の冷蔵庫において、少なくとも一列の前記放熱パイプの周囲の第１粘着テープと前記外箱との間に形成される空域が前記断熱箱体の外部に連通することを特徴としている。この構成によると、少なくとも一列の放熱パイプの周囲に形成される第１粘着テープと外箱との間の空域内の圧力が大気圧に一致する。
【００１５】
また本発明は、上記構成の冷蔵庫において、第１粘着テープは前記放熱パイプに対して一側方で前記外箱に貼着され、他側方で前記外箱から離れた開放端を有することを特徴としている。この構成によると、放熱パイプ上に貼着された第１粘着テープは放熱パイプの一側方の外箱に貼着され、他側方に開放端を有して外箱に対して離れる。これにより、放熱パイプの他側方の第１粘着テープと外箱との間に発泡断熱材が充填される。また、第１粘着テープと外箱との間に発泡断熱材が完全に充填されない場合でも、第１粘着テープと外箱との間の空間が縮小することで空間内のガスの大気圧差による変形応力の影響が軽減される。なお、第１粘着テープの開放端は複数列の放熱パイプに跨がって第１粘着テープを貼着した後に切断して形成することができる。
【００１６】
また本発明は、上記構成の冷蔵庫において、第２粘着テープが第１粘着テープ上に重ねて貼着され、第１粘着テープ上で前記放熱パイプの両脇に沿って切込みが設けられることを特徴としている。この構成によると、第２粘着テープが放熱パイプの両脇に形成した切り込みにより、開放端を有して外箱に対して離れる第１粘着テープ上に沿って配される。これにより、第２粘着テープの切り込みを介して第１粘着テープと外箱との間に発泡断熱材が充填される。
【００１７】
また本発明は、内箱と金属製の外箱との間に発泡断熱材を充填した断熱箱体と、一方向に延びて蛇行により複数列に並設した状態で前記外箱の内面に接して配される放熱パイプと、前記放熱パイプの延伸方向に交差する方向に延びて前記放熱パイプを前記外箱に固定する第１粘着テープと、前記放熱パイプの延伸方向に沿って前記放熱パイプを前記外箱に固定する第２粘着テープとを備え、第１粘着テープは前記放熱パイプに対して交差する一方で前記外箱に貼着され、他方で前記外箱から離れた開放端を有することを特徴としている。この構成によると、放熱パイプ上に貼着された第１粘着テープは放熱パイプの一側方の外箱に貼着され、他側方に開放端を有して外箱に対して離れる。これにより、放熱パイプの他側方の第１粘着テープと外箱との間に発泡断熱材が充填される。また、第１粘着テープと外箱との間に発泡断熱材が完全に充填されない場合でも、第１粘着テープと外箱との間の空間が縮小することで空間内のガスの大気圧差による変形応力の影響が軽減される。なお、第１粘着テープの開放端は複数列の放熱パイプに跨がって第１粘着テープを貼着した後に切断して形成することができる。
【００１８】
また本発明は、上記構成の冷蔵庫において、第２粘着テープが第１粘着テープ上に重ねて貼着され、第１粘着テープ上で前記放熱パイプの両脇に沿って切込みが設けられることを特徴としている。この構成によると、第２粘着テープの切り込みを介して第１粘着テープと外箱との間に発泡断熱材が充填される。
【発明の効果】
【００１９】
本発明によると、第１粘着テープの幅方向の少なくとも一方の端縁よりも外側に第２粘着テープによる放熱パイプとの未接着領域を設けたので、第１、第２粘着テープと発泡断熱材との剥離の進行が抑制される。従って、外箱に対する発泡断熱材の剥離を低減し、外箱の波打ち現象を低減することができる。
【００２０】
また、本発明によると、第１粘着テープが放熱パイプの一側方で外箱に貼着され、他側方で外箱から離れた開放端を有するので、開放端側の第１粘着テープと外箱との間に発泡断熱材が充填される。従って、第１粘着テープと外箱との間に形成される空域が減少し、空域に充填されるガスによる応力を低減して外箱の波打ち現象を低減することができる。
【図面の簡単な説明】
【００２１】
【図１】本発明の第１実施形態の冷蔵庫を示す分解斜視図
【図２】本発明の第１実施形態の冷蔵庫に係る外箱を展開して示す平面図
【図３】本発明の第１実施形態の冷蔵庫に係る外箱の一部を拡大して示す平面図
【図４】本発明の第１実施形態の冷蔵庫に係る外箱の一部を拡大して示す斜視図
【図５】本発明の第２実施形態の冷蔵庫に係る外箱の一部を拡大して示す分解斜視図
【図６】本発明の第３実施形態の冷蔵庫に係る外箱の一部を拡大して示す斜視図
【図７】従来の冷蔵庫に係る外箱を展開して示す平面図
【発明を実施するための形態】
【００２２】
[第１実施形態]
以下に本発明の実施形態を図面を参照して説明する。図１は本実施形態の冷蔵庫１を示す分解斜視図である。
【００２３】
冷蔵庫１の断熱箱体１０は前面が開口する箱状を成している。断熱箱体１０の外面は外箱１１により形成され、内面は内箱１２により形成される。外箱１１は鉄板等の金属板から成る天板１１ａ、側面板１１ｂ、１１ｅ、背面板１１ｃ及び底面板１１ｄにより前面が開口した箱型に形成される。天面１１ａ、側面板１１ｂ、側面板１１ｅは金属板を折曲して一体に形成される。内箱１２は樹脂成形品から成り、前面を開口した複数の冷却室に区分けして形成される。外箱１１と内箱１２との間には発泡ウレタン等の発泡断熱材（不図示）が充填される。底面板１１ｄの下部には機械室６１が設けられ、機械室６１は断熱箱体１０の外部に配される。
【００２４】
図２は外箱１１の天面１１ａ、側面板１１ｂ、側面板１１ｅの展開図を示している。天板１１ａ、側面板１１ｂ、側面板１１ｅ上にはそれぞれ一方向に延びて蛇行により複数列に並設された放熱パイプ３３が配される。即ち、天板１１ａ上の放熱パイプ３３は前後方向に延び、左右方向に複数列を並設される。側面板１１ｂ、１１ｅ上の放熱パイプ３３は上下方向に延び、前後方向に複数列を並設される。
【００２５】
なお、天板１１ａ上の放熱パイプ３３と一方の側面板１１ｅ上の放熱パイプ３３とは外箱１１上で連結し、機械室６１（図１参照）内で側面板１１ｂ上の放熱パイプ３３に連結する。また、側面板１１ｂ、１１ｅ上の放熱パイプ３３は機械室６１（図１参照）に延出される延出部３３ａが設けられる。
【００２６】
第１粘着テープ４１ａ〜４１ｄは放熱パイプ３３の延伸方向に交差する方向に延びて放熱パイプ３３を外箱１１の内面に仮固定する。第２粘着テープ４２は放熱パイプ３３の延伸方向の列に沿って複数列配され、第２粘着テープ４２により放熱パイプ３３を外箱１１の内面に固定する。これにより、放熱パイプ３３が外箱１１に密着され、放熱パイプ３３の熱が外箱１１を介して外部に放出される。
【００２７】
図３は側面板１１ｂの機械室６１側の一部を拡大して示す平面図である。第２粘着テープ４２の一端は第１粘着テープ４１ａと重なるが、第１粘着テープ４１ａの幅方向の一方の端縁よりも外側には延出しない。このため、第１粘着テープ４１ａの幅方向の端縁よりも外側には第２粘着テープ４２と放熱パイプ３３との未接着領域Ｂが形成される。また、第１粘着テープ４１ａの未接着領域Ｂとは反対側の幅方向の端縁には外側に第２粘着テープ４２と放熱パイプ３３との接着領域Ａが形成される。
【００２８】
外箱１１内に発泡断熱材（不図示）を充填したとき、発泡断熱材は外箱１１の内面、放熱パイプ３３、第１粘着テープ４１ａ及び第２粘着テープ４２と接する。一方、第１粘着テープ４１ａ及び第２粘着テープ４２の上面は離型処理が施されており、発泡断熱材は外箱１１と比較して小さい接着強度で第１粘着テープ４１ａ及び第２粘着テープ４２と接着する。また、第１粘着テープ４１ａと第２粘着テープ４２との互いに重なる重なり領域Ｃの接着強度は発泡断熱材と第１粘着テープ４１ａとの接着強度及び発泡断熱材と第２粘着テープ４２との接着強度と比較してさらに小さくなっている。
【００２９】
図４は外箱１１の一部を拡大して示す斜視図である。放熱パイプ３３の両側方には第１粘着テープ４１ａと外箱１１との間に空域２９ａが形成される。空域２９ａにはテープ貼り付け時に取り込まれた空気、発泡断熱材から生じたシクロペンタン、二酸化炭素等のガスが充満する。
【００３０】
放熱パイプ３３の熱によって外箱１１は熱膨張する。空域２９ａに充満したガスと大気との圧力差によって外箱１１は変形応力を受ける。これにより、外箱１１が放熱パイプ３３に沿って膨らむ方向に応力が加わると、接着力の弱い重なり領域Ｃで第１粘着テープ４１と第２粘着テープ４２とが剥離しやすくなる。
【００３１】
このとき、第１粘着テープ４１ａの幅方向の一方の端縁よりも外側（重なり領域Ｃの下方）に形成される未接着領域Ｂで発泡断熱材と外箱１１とが強固に接着される。このとき、外箱１１の変位が低減するため、重なり領域Ｃでの第１粘着テープ４１ａと第２粘着テープ４２との剥離が抑えられる。これにより、重なる領域Ｃにおける剥離を起点として第１粘着テープ４１ａと発泡断熱材との剥離および第２粘着テープ４２と発泡断熱材との剥離の進行が抑制され、外箱１１の波打ち現象を低減することができる。
【００３２】
また、図３において、第１粘着テープ４１ａ、４１ｄの後端部は機械室６１の天面Ｅと重なるように配され、延出部３３ａ上に貼着される。このため、延出部３３ａ上の空域２９ａ（図４参照）は断熱箱体１０の外部の機械室６１に連通する。従って、延出部３３ａ上の空域２９ａ内の圧力を大気圧に一致させることができ、外箱１１の波打ち現象をより低減することができる。
【００３３】
また、第１粘着テープ４１ｂ、４１ｃに対して第２粘着テープ４２は離れて外箱１１に貼着される。このため、第１粘着テープ４１ｂ、４１ｃの幅方向の両方の端縁の外側に未接着領域Ｂが形成される。従って、外箱１１の波打ち現象をより低減することができる。
【００３４】
本実施形態によると、第１粘着テープ４１ａ〜４１ｄの少なくとも幅方向の一方の端縁よりも外側に第２粘着テープ４２による放熱パイプ３３との未接着領域Ｂを設けたので、第１粘着テープ４１ａ〜４１ｄ、第２粘着テープ４２と発泡断熱材との剥離の進行が抑制される。従って、外箱１１に対する発泡断熱材の剥離を低減し、外箱１１の波打ち現象を低減することができる。
【００３５】
また、放熱パイプ３３の周囲の第１粘着テープ４１ａ、４１ｄと外箱１１との間に形成される空域２９ａが断熱箱体１０の外部に連通するので、空域２９ａが大気圧に形成され、外箱１１の波打ち現象をより低減することができる。
【００３６】
[第２実施形態]
図５は第２実施形態に係る外箱１１の一部を拡大して示す分解斜視図である。なお、第１実施形態と同一部分は同一符号を付して説明を省略する。第１実施形態に対して第２実施形態は幅方向の両端縁の外側に隣接して未接着領域Ｂが形成される第１粘着テープ４１ｂは放熱パイプ３３に対して一側方で外箱１１に貼着される。また、第１粘着テープ４１ｂは放熱パイプ３３に対して他側方で開放端４４を有して外箱１１から離れる。開放端４４は複数列の放熱パイプ３３に跨がって第１粘着テープ４１ｂを貼着した後に切断して形成することができる。
【００３７】
これにより、放熱パイプ３３の他側方の開放端４４側に第１粘着テープ４１ｂと外箱１１との間に発泡断熱材が充填される。このため、開放端４４側に空域２９ａが形成されず、外箱１１の波打ち現象をより低減することができる。なお、第１粘着テープ４１ｂと外箱１１との間に発泡断熱材が完全に充填されない場合でも、第１粘着テープ４１ｂと外箱１１との間の空間が縮小することで空域内ガスの大気圧差による変形応力の影響が軽減される。
【００３８】
[第３実施形態]
図６は第３実施形態に係る外箱１１の一部を拡大して示す斜視図である。なお、第１実施形態と同一部分は同一符号を付して説明を省略する。第３実施形態は第２実施形態と同様に、幅方向の一方の端縁の外側に隣接して未接着領域Ｂが形成される第１粘着テープ４１ａ、４１ｄは放熱パイプ３３に対して一側方で外箱１１に貼着される。また、第１粘着テープ４１ａ、４１ｄは放熱パイプ３３に対して他側方で開放端４４を有して外箱１１から離れる。
【００３９】
また、第２粘着テープ４２は第１粘着テープ４１ａ、４１ｄ上で放熱パイプ３３の両脇に沿って切り込み４５が設けられる。これにより、切り込み４５を介して第１粘着テープ４１ａ、４１ｄと外箱１１との間に発泡断熱材が充填される。従って、第２実施形態と同様に、開放端４４側に空域２９ａが形成されず、外箱１１の波打ち現象をより低減することができる。なお、第１粘着テープ４１ａ、４１ｄと外箱１１との間に発泡断熱材が完全に充填されない場合でも、第１粘着テープ４１ａ、４１ｄと外箱１１との間の空間が縮小することで空域内ガスの大気圧差による変形応力の影響が軽減される。
【産業上の利用可能性】
【００４０】
本発明によると、断熱箱体内に発泡断熱材が充填された冷蔵庫に利用することができる。
【符号の説明】
【００４１】
１０              断熱箱体
１１              外箱
１１ａ            天板
１１ｂ、１１ｅ    側面板
１１ｃ            背面板
１１ｄ            底面板
１２              内箱
２９ａ            空域
３３              放熱パイプ
４１ａ〜４１ｄ    第１粘着テープ
４２              第２粘着テープ
６１              機械室
【図１】
0005848618.tif 000002
【図２】
0005848618.tif 000003
【図３】
0005848618.tif 000004
【図４】
0005848618.tif 000005
【図５】
0005848618.tif 000006
【図６】
0005848618.tif 000007
【図７】
0005848618.tif 000008